(57)【要約】本発明は、サンプル特有タグ化試薬を用いることにより、１またはそれより多いサンプル中の１またはそれより多い、タンパク質またはポリペプチドのような生体分子の量を定量する方法に関する。より特に、当該方法は、少なくとも２つのサンプルを提供し；各サンプル中に存在する生体分子を、サンプル特有質量タグ化試薬と反応させ、そのサンプル特有質量タグ化型を提供し；各サンプル中に存在するタグ化型をあわせて、１個のサンプルを提供し；得られたサンプル、個々の生体分子の質量タグ化型のミックスを、別々の画分中に同時分離し；各画分の当該ミックスを質量分析し、質量スペクトルを得；および各質量スペクトル中のシグナルから、少なくとも１つのサンプルのスペクトルに相当する生体分子の量を、少なくとも１つの残りのサンプル中の同じ生体分子の量と対比して決定する、ステップを含む。有利な実施態様では、当該分離ステップは、ゲル電気泳動ステップである。ある場合では、タンパク質（群）のような生体分子を消化するステップをも含むことが有利となり得る。【特許請求の範囲】
【請求項１】
サンプル特有タグ化試薬を用いることにより、１またはそれより多いサンプル中の１またはそれより多い生体分子の量を定量する方法であって、ステップ（ａ）−（ｆ）
（ａ）少なくとも２つのサンプルを提供すること、
（ｂ）各サンプル中に存在する生体分子を、サンプル特有質量タグ化試薬と反応させ、そのサンプル特有質量タグ化型を提供すること、
（ｃ）各サンプル中に存在するタグ化型をあわせて、１個のサンプルを提供すること、
（ｄ）疎水性の相違、荷電の相違、等電点の相違、および分子サイズの相違からなる群から選択される原理に基づく分離プロトコールにより、得られたサンプル、個々の生体分子の質量タグ化型のミックスを、別々の画分中に同時分離すること、
（ｅ）各画分の当該ミックスを質量分析し、質量スペクトルを得ること、
（ｆ）ステップ（ｅ）で得られた各質量スペクトル中のシグナルから、少なくとも１つのサンプルのスペクトルに相当する生体分子の量を、少なくとも１つの残りのサンプル中の同じ生体分子の量と対比して決定すること、
を含むことを特徴とする当該方法。
【請求項２】
当該生体分子が、タンパク質またはポリペプチドであり、当該試薬が、その第一級アミン、システイン残基またはチロシン残基に結合し得る、請求項１の方法。
【請求項３】
当該生体分子が核酸であり、当該試薬が、そのシトシンまたはアデニン残基に結合し得る、請求項１の方法。
【請求項４】
ステップ（ａ）−（ｅ）の何れか１つの間に挿入される消化ステップも含み、但し、消化ステップがステップ（ｃ）と（ｄ）との間にある場合には、少なくとも２つの別々の分離プロトコールがステップ（ｄ）で使用される、請求項１−３の何れか１つの方法。
【請求項５】
当該消化ステップが、ステップ（ｃ）の前に位置する、請求項４の方法。
【請求項６】
消化ステップが、好ましくは、ステップ（ｄ）中に２つまたはそれより多い別個の分離プロトコールを伴って、ステップ（ｄ）−（ｅ）の間に位置する、請求項４の方法。
【請求項７】
消化ステップが、好ましくは、ステップ（ｄ）中に２つまたはそれより多い別個の分離プロトコールを伴って、ステップ（ａ）−（ｂ）、（ｂ）−（ｃ）または（ｃ）−（ｄ）の間のように、ステップ（ａ）−（ｄ）のどこかに位置する、請求項４の方法。
【請求項８】
定量すべき生体分子の数（ｎ）が、２またはそれより多い、請求項１−７の何れかの方法。
【請求項９】
ステップ（ａ）で提供されるサンプルの数（ｍ）が、３またはそれより多い、請求項１−８の何れかの方法。
【請求項１０】
生体分子を、酵素学的に消化する、請求項１−９の何れかの方法。
【請求項１１】
２つまたはそれより多い分離プロトコールをステップ（ｄ）で使用する方法であって、少なくとも２つの当該プロトコールのそれぞれが異なり、ステップ（ｃ）から得られるタグ化型の混合物を画分中に分離し得、ここで、定量すべき生体分子（タグ化型）のうちの主な１つまたはその消化産物（タグ化型）が、画分間で異なる、請求項１−１０の何れかの方法。
【請求項１２】
当該サンプル特有質量タグが、元素の組成に関し、異なる、請求項１−１１の何れかの方法。
【請求項１３】
当該サンプル特有質量タグが、少なくとも１つの元素の同位元素の組成、好ましくは同一の元素の組成に関して、異なる、請求項１−１１の何れかの方法。
【請求項１４】
当該サンプルのうちの１つが、参照または対照サンプルである、請求項１−１３の何れかの方法。
【請求項１５】
ステップ（ｄ）が、定量すべき生体分子またはその消化産物の物質輸送が電気泳動、好ましくは２Ｄ電気泳動のような電場印加よる、分離プロトコールを含む、請求項１−１４の何れかの方法。
【請求項１６】
ステップ（ｄ）が、定量すべき生体分子またはその消化産物の物質輸送がクロマトグラフィーのような液体流動による、分離プロトコールを含む、請求項１−１４の何れかの方法。
【発明の詳細な説明】
【０００１】
（技術分野）
本発明は、１またはそれより多いサンプル（サンプルＩ、ＩＩ、ＩＩＩなど、サンプル群）中の１またはそれより多い化合物（化合物１、２、３など、化合物群）のそれぞれの量の定量測定の方法に関係する。当該方法は、サンプル特有質量タグ化試薬（ｓａｍｐｌｅ ｕｎｉｑｕｅ ｍａｓｓ ｔａｇｇｉｎｇ ｒｅａｇｅｎｔｓ）（タグ化試薬Ｉ、ＩＩ、ＩＩＩなど、タグ化試薬）の組合せ、分離および定量すべき化合物の質量分析を使用する。
【０００２】
当該化合物は、好ましくは、ペプチド構造、核酸構造などを有する生物分子である。
【０００３】
（背景技術）
特定状態（プロテオミクス）において、組織および細胞のタンパク質レベルで、全体的遺伝子発現のスクリーニングは、生物学的研究の中心的インストルメントとなった。プロテオミクスにおいて、最も興味の惹かれる観点の１つは、２つの異なる細胞状態間の、タンパク質発現の相対変化に取り組むことを可能にすることである。これらの状態は、生体細胞の天然環境下または薬物添加による誘発環境下における変化に依存し得る。その結果、細胞により、発現され、または合成される化合物のプロファイルに変化が生じ、そのため、１またはそれより多いタンパク質の誘導（ｏｃｃｕｒｒｅｎｃｅ）が変化し得る。効率的に変化をモニターするため、例えば、大部分のタンパク質スペクトルの定量測定を成し得ることが必要となる。
【０００４】
従来、これは、個々のサンプルに、２つの連続的分離原理（二次元分離）、典型的に等電点電気泳動（第一の次元）および通常のゲル電気泳動（第二の次元）を行い、その後、個々のスポットのタンパク質含有量の定量により、行った。９０年代、スポットのタンパク質を同定するため、例えば、スポットのタンパク質を消化し、その得られたペプチドフラグメントを、質量分析計とつながっている逆相液体クロマトグラフィー（ＬＣ−ＭＳ）することにより行う同定のため、質量分析技術の使用が開始された。サンプルの生物学的起源で得られるような全体的タンパク質発現パターンを、対照または参照サンプルと比較することにより、当該パターンの全体的変化をモニターすることができる。
【０００５】
プロテオミクスワークフロー中の染色ゲルの使用で遭遇する問題は、タンパク質発現の変化の定量的データ取得の可能性の制限である。銀、クマジーまたは蛍光染色であっても、一般的に、タンパク質濃度の幾分の概算が得られる（蛍光で最も良い値が得られる）。これらの染色およびソフトウエア評価方法は、プロテオミクス作業（恐らく、１０％に落ち込んだ相対的タンパク質発現変化を検出し得る必要がある）の定量的要件（ｑｕａｎｔｉｔａｔｉｏｎ ｄｅｍａｎｄ）を満たし得ない。
【０００６】
異なる同位体タグ化親和性試薬（ｉｓｏｔｏｐｅ ｔａｇｇｅｄ ａｆｆｉｎｉｔｙ ｒｅａｇｅｎｔｓ）の使用による、あるサンプル中の各タンパク質の定量化であって、他のサンプル中の相当タンパク質に対する相対的な当該定量化が、最近、提唱された（Ａｅｂｅｒｓｏｌｄ ｅｔ． ａｌ．， ＷＯ００１１２０８； およびＧｙｇｉ ｅｔ ａｌ．， Ｎａｔｕｒｅ Ｂｉｏｔｅｃｈｎｏｌｏｇｙ １７（１９９９） ９９４−９９９； およびＭａｎｎ Ｍ．， Ｂｉｏｔｅｃｈｎｏｌｏｇｙ １７ （１９９９） １０００−１００１）。この技術では、第一のサンプル中のタンパク質を、第一の親和性タグ化試薬（ａｆｆｉｎｉｔｙ−ｔａｇｇｉｎｇ ｒｅａｇｅｎｔ）と反応させ、そして第二のサンプル中のタンパク質を第二の親和性タグ化試薬と反応させる。当該第一および第二の試薬は、同じ化学的構造を有するが、異なる同位体でタグ化されている。そのため、第一のサンプル中のタンパク質は、第二のサンプル中のタンパク質と比べて、異なる同位体でタグ化することになる。タグ化の後、２つのサンプルを混合し、消化し、タグ化タンパク質の、タグ化ペプチドフラグメントおよび非タグ化ペプチドフラグメントを得る。次いで、親和性タグをタグに対する固定化親和性対応物の取っ掛かり（ｈａｎｄｌｅ）として使用して、すべてのタグ化フラグメントを共通画分として単離する。最終的に、質量分析を
（ａ）個々のタグ化フラグメントが生ずるタンパク質を同定すること、
（ｂ）第一のサンプル中の当該タンパク質の量を、第二のサンプル中の同じタンパク質の量と比較して、測定すること、
に使用する。
【０００７】
使用する質量分析セットアップは、質量分析（ＬＣ−ＭＳ）の前に単一の液体クロマトグラフィーステップを含む。典型的に、ＬＣステップは、タグ化された異なるペプチドフラグメントを分離すための逆相液体クロマトグラフィーである。この技術は、特定の適用が望ましい複数サンプルへの適応が容易にできないため、本質的な欠点を含んでいる。更に、親和性タグの使用は、リンカー分子を介するタンパク質結合基との結合のため更なる過程ステップを必要とする。そのため、この技術は、必要とされる試薬および反応の数が多いという点で比較的複雑であり、そのため、自動化手順の使用に理想的ではない。
【０００８】
ＷＯ００１１２０８は、引用によりその全体を本明細書中に含める。
【０００９】
Ｍｕｅｎｃｈｂａｃｋ ｅｔ ａｌ （Ａｎａｌ． Ｃｈｅｍ． ２０００ （７２） ４０４７−４０５７）は、タンパク質を含む２つの液体サンプルのそれぞれを２−Ｄ電気泳動し、その後、消化物の分離、そして個々のスポットで得られるフラグメント混合物の異なる同位体をタグ化する、定量化方法を記載する。次いで、２つのサンプルに相当するスポットを混合し、個々のスポットのタンパク質またはタンパク質群、およびあるサンプル中の当該タンパク質の量であって他のサンプル中の同じタンパク質の量に対する量を同定するため質量分析で分析する。
【００１０】
この最近の働きにも拘わらず、上記方法には改善、例えば、タンパク質の共翻訳修飾（ｃｏ−ｔｒａｎｓｌａｔｉｏｎａｌ ｍｏｄｉｆｉｃａｔｉｏｎ）および／またはタンパク質の翻訳後修飾の定量化に関する改善、および感度、再現性、分解能、プロトコール単純化などに関する改善が必要とされている。
【００１１】
タンパク質ミックスを含むサンプルの質量分析によるタンパク質同定の目的として、同位体タグ化メルカプト反応性アルキル化試薬（ｉｓｏｔｏｐｅ ｔａｇｇｅｄ ｍｅｒｃａｐｔｏ ｒｅａｃｔｉｎｇ ａｌｋｙｌａｔｉｎｇ ｒｅａｇｅｎｔｓ）を使用することが示唆されている（Ｇｏｏｄｌｅｔｔ ｅｔ ａｌ．， Ａｎａｌ． Ｃｈｅｍ． ７２ （２０００） １１１２−１１１８； およびＳｅｃｈｉ ｅｔ ａｌ．， Ａｎａｌ Ｃｈｅｍ． ７０ （１９９８） ５１５０−５１５８）。これらのプロトコールでは、単一サンプルを関連試薬と反応させ、その後、電気泳動により分離する。同定は、得られる個々のタンパク質含有画分の質量分析による。この分野では、最近、評論が書かれている（Ｌａｈｍ ＆ Ｌａｎｇｅｎ， Ｅｌｅｃｔｒｏｐｈｏｒｅｓｉｓ ２１ （２０００） ２１０５−２１１４）。
【００１２】
２つの代謝性および異種性の同位体タグ化細胞サンプルでの、個々のタグ化タンパク質の相対量の定量化が最近述べられている（Ｏｄａ ｅｔ ａｌ．， Ｐｒｏｃ． Ｎａｔｌ． Ａｃａｄ． Ｓｃｉ． ＵＳＡ ９６ （１９９９） ６５９１−６５９６）。
【００１３】
（本発明の要約）
第一の目的は、上記定量方法の、感度、再現性、分解能、プロトコール単純化などのうちの１つまたはそれより多くに関する改善を提供する。
【００１４】
第二の目的は、発現レベルの定量測定ならびに／または１つまたはそれより多い個々のタンパク質の共翻訳修飾および／もしくは翻訳後修飾の定量測定を改善することである。
【００１５】
第三の目的は、
（ｉ）１つまたはそれより多いタンパク質の発現レベルの相違および／または
（ｉｉ）１つまたはそれより多いタンパク質の共翻訳修飾および／または翻訳後修飾の相違を、
（ａ）異なる外的刺激を受けた細胞または生体から得られるサンプルの間、
（ｂ）異なる変異遺伝子を有する細胞および生体から得られるサンプルの間、
（ｃ）健常体対疾患個体または疾患を試験する個体から得られるサンプルの間、
（ｄ）異なる時に、ある個体および同じ個体から得たサンプルの間（すなわち、個体中の疾患の進行または治癒をモニターするため）、
（ｅ）他のものの間
の、１つまたはそれより多い相違と関連付ける方法の改善である。
【００１６】
上記個体は、生体、特に、鳥類、哺乳類、両生類、爬虫類、魚類などのような動物を含む、単細胞生物および多細胞生物を含み、ヒトおよび昆虫を含む。言及した細胞は、哺乳類のような脊椎動物、または無脊椎動物（例えば、培養した昆虫細胞）、または微生物（例えば、培養した真菌、細菌、酵母など）から由来し得る。植物細胞および他の種類の生体細胞、例えば培養細胞もまた含まれる。
【００１７】
より特に、上記の目的は、サンプル特有タグ化試薬（ｓａｍｐｌｅ ｕｎｉｑｕｅ ｔａｇｇｉｎｇ ｒｅａｇｅｎｔ）を用いることにより、１つまたはそれより多いサンプル中の１つまたはそれより多い生体分子の量の定量測定の方法であって、ステップ（ａ）−（ｆ）、
（ａ）少なくとも２つのサンプルを提供すること、
（ｂ）各サンプル中に存在する生体分子を、サンプル特有質量タグ化試薬と反応させ、そのサンプル特有質量タグ化型（ｓａｍｐｌｅ ｕｎｉｑｕｅ ｍａｓｓ ｔａｇｇｅｄ ｆｏｒｍ）を提供すること、
（ｃ）各サンプル中に存在するタグ化型をあわせて、１個のサンプルを提供すること、
（ｄ）疎水性の相違、荷電の相違、等電点の相違、および分子サイズの相違からなる群から選択される原理に基づく分離プロトコールにより、得られたサンプル、すなわち、個々の生体分子の質量タグ化型のミックスを、別々の画分中に同時分離すること、
（ｅ）各画分で当該ミックスを質量分析し、質量スペクトルを得ること、
（ｆ）ステップ（ｅ）で得られた各質量スペクトル中のシグナルから、当該サンプル中の少なくとも１つのスペクトルに相当する生体分子の量を、少なくとも１つの残りサンプル中の同じ生体分子の量と対比して決定すること、
を含む当該方法に関係する本発明により達成され得る。ここで、荷電の相違に基づく方法は、ｐＨの変化が吸着／脱着に利用される方法に言及していると理解され、その方法は、陰イオン交換および陽イオン交換に基づく方法（当業者に既知である）を含む。ｐＩを用いる分離法の一例は、等電点電気泳動（ｃｈｒｏｍａｔｏｆｏｃｕｓｉｎｇ）であり、それもまた既知の方法である。分離方法の他の例を以下に記載する。
【００１８】
従って、本発明は、サンプル中の生体分子の定量測定の方法を提供し、その方法は、従来技術で開示のような一部の試薬としての親和性標識の使用を必要としない。従って、本方法は、従来方法よりも操作が容易であり、またより自動化が可能である。
【００１９】
本出願において、「生体分子」なる用語は、タンパク質およびペプチドおよびポリペプチドのようなタンパク質のフラグメント、ＤＮＡまたはＲＮＡのような核酸などを含むと理解される。以下、「化合物」なる用語は、時折、生体分子の言及に使用される。ある実施態様では、本生体分子は、タンパク質またはポリペプチドであり、試薬は、その第一級アミン、システイン残基またはチロシン残基に結合し得る。他の実施態様では、生体分子は、核酸であり、試薬は、シトシンまたはアデニン残基に結合し得る。
【００２０】
本方法はまた、ステップ（ａ）−（ｅ）の何れか１つの間に挿入される消化ステップも含み得るが、但し、消化ステップがステップ（ｃ）と（ｄ）との間にある場合には、少なくとも２つの別々の分離プロトコールがステップ（ｄ）で使用される。その消化は、タンパク質をポリペプチドにフラグメント化し得る。ある実施態様では、消化ステップは、ステップ（ｃ）の前に位置する。この実施態様は、タグ化ペプチドを含む２つのサンプルを合わせる点で、Ａｅｂｅｒｓｏｌｄ ｅｔ ａｌ．で記載されている上記技術とは異なるが、Ａｅｂｅｒｓｏｌｄ ｅｔ ａｌ．は、消化が、合わされたタンパク質サンプル中で生ずる方法を記載している。
【００２１】
消化ステップは、所望により、好ましくは、ステップ（ｄ）中に２つまたはそれより多い個別の分離プロトコールを伴って、ステップ（ｄ）−（ｅ）の間に位置し得る。また他の態様では、消化ステップは、好ましくは、ステップ（ｄ）中に２つまたはそれより多い個別の分離プロトコールを伴って、ステップ（ａ）−（ｂ）、（ｂ）−（ｃ）または（ｃ）−（ｄ）の間のように、ステップ（ａ）−（ｄ）のどこかに位置する。
【００２２】
本方法のある実施態様では、定量すべき生体分子の数（ｎ）は、２またはそれより多い。特定の実施態様では、ステップ（ａ）で提供されるサンプルの数（ｍ）は３またはそれより多い。本発明の本質的な利点は、一度に数種のサンプルが容易に適用されるという事実に由来する。これは、タグ化試薬が従来開示されたもの、例えば、Ａｅｂｅｒｓｏｌｄ ｅｔ ａｌ．により開示されている親和性タグリンカー結合タンパク質を伴うものよりも単純であるため、可能である。本タグ化試薬もまた、従来提唱されている方法よりも低コストで定量可能となる。
【００２３】
ある実施態様では、本生体分子を酵素学的に消化する。他の実施態様では、それらは、消化化学物質で消化される。
【００２４】
また、本方法の他の実施態様では、２またはそれより多い分離プロトコールをステップ（ｄ）で使用し、それらのうちの少なくとも２つはそれぞれ異なり、ステップ（ｃ）から得られるタグ化型の混合物を画分に分離し得る。定量すべき生体分子のうちのの主な１つ（タグ化型）またはその消化産物（タグ化型）は画分毎に異なる。
【００２５】
ある実施態様では、上記サンプル特有質量タグは、元素の組成に関し異なる。他の実施態様では、当該サンプル特有質量タグは、好ましくは、元素の組成が同じであって、少なくとも１つの元素の同位元素組成に関して異なる。
【００２６】
サンプル中の生体分子の実際量の測定のための有利な実施態様では、あるサンプルは、内部標準のような、参照または対照サンプルである。
【００２７】
上記で簡単に考察したように、ある実施態様では、本発明の方法のステップ（ｄ）は、定量すべき生体分子またはその消化産物の物質輸送が電気泳動、好ましくは２Ｄ電気泳動のような電場印加（ａｐｐｌｉｅｄ ｅｌｅｃｔｒｉｃ ｆｉｅｌｄ）による、分離プロトコールを含む。特定実施態様では、ステップ（ｄ）は、定量すべき生体分子またはその消化産物の物質輸送がクロマトグラフィーのような液体流動（ｌｉｑｕｉｄ ｆｌｏｗ）による、分離プロトコールを含む。
【００２８】
（本発明の詳細な説明）
本発明者は、上記の１つまたはそれより多い目的が、下記の順番でステップ（ａ）−（ｆ）を含み、ステップ（ａ）−（ｅ）の間に消化ステップを含むことがある、上記の標題「技術分野」で定義した方法によって達成されることを見出した。消化ステップが含まれるとき、それは、少なくとも１つの化合物の１つまたはそれより多い消化産物（消化産物群）を生ずる。当該ステップの並びを変えることにより、重要な特徴、例えば、第一の目的と第二の目的とで考察したようなものの間でのバランスの最適化が可能となる。これは、特に、消化ステップがステップ（ａ）−（ｅ）の間の位置に存在するとき、適用する。以下の標題「消化ステップ」参照。ステップ（ａ）−（ｆ）は、
（ａ）少なくとも２つのサンプル、可能ならば当該化合物を含むサンプルを提供すること、
（ｂ）各サンプル中の当該化合物またはその消化産物を、サンプル特有質量タグ化試薬と反応させ、各化合物または消化産物をサンプル特有質量タグ化型に変換すること、
（ｃ）各サンプルから得られるタグ化型を混合し、ミックスされたサンプルを形成すること、
（ｄ）ミックスされたサンプル、すなわち、当該化合物のそれぞれの質量タグ化型またはその消化産物の質量タグ化型のミックスから、別々の画分中へ同時分離すること、
（ｅ）各画分の当該ミックスを質量分析し、当該ミックスの質量スペクトルを得ること、
（ｆ）ステップ（ｅ）で得られた各質量スペクトル中のシグナルから、当該サンプルの少なくとも１つのスペクトルに相当する化合物の量を、少なくとも１つの残りサンプル中の同じ化合物の量と対比して決定すること、
であり、但し、ステップ（ｃ）と（ｄ）との間に消化ステップが存在するならば、少なくとも２つの別々の分離プロトコールをステップ（ｄ）で使用する。
【００２９】
各ステップを更に以下に記載する。
【００３０】
ステップ（ａ）、定量すべきサンプルおよび化合物
このステップは、２つまたはそれより多いサンプル（サンプルＩ、ＩＩ、ＩＩＩなど）を提供することを含む。サンプルの総数は、例えば、５までまたは１０までであり得る。当該サンプルは、定量すべき化合物を含み得るか、または含み得ない。
【００３１】
当該サンプルは、好ましくは生物学的起源のケースである。それらは、細胞ライゼートまたは細胞ホモジネート、組織ホモジネート、発酵上清、体液などのような生体液から得られ得る。最も重要な体液は、全血、血清および血漿のような血液由来のものであり、そして涙液（ｌａｃｈｒｙｍａｌ ｆｌｕｉｄ）、精液、髄液（ＣＳＦ）、唾液、尿などであり、また、タンパク質、炭水化物、脂質、ホルモンなどから選択される生物有機化学分子を含む他の液体サンプルの何れかをも含む。当該サンプルはまた、オリジナルのサンプル（例えば、上記のような生物学的起源であり得る）中に存在する内容物の画分であり得る。典型的な分画手順は、以下の標題「分画ステップ」参照。
【００３２】
１つまたはそれより多いサンプル、例えばサンプルＩＩは、対照または参照量の少なくとも１つの定量すべき化合物を含む、対象サンプルまたは参照サンプルであり得る。
【００３３】
定量すべき化合物の数（ｎ）は、＞２、＞３、＞４、＞５、＞６、＞７、＞８、＞９、＞１０または＞２０、＞３０、＞４０、＞５０、＞１００、＞２００、＞３００などのような＞１である。典型的にサンプルは、定量すべき化合物に共通の構造、例えばペプチド構造を有する他の化合物をも含む。
【００３４】
サンプル中の定量すべき化合物は、典型的に、定量すべき全化合物に共通の一般的構造を含む。当該構造は、異なる化合物間で変化のある重合性であり得る。有用な共通構造の最も有意な例は、ペプチド構造、例えばポリペプチド構造（配列中、３アミノ酸以上）である。他のポリマー構造は、核酸構造（配列中３ヌクレオチド以上）である。本発明は、例えばタンパク質中に存在するポリペプチド構造のようなペプチド構造を示す化合物の定量に最も影響すると考えられる。
【００３５】
定量すべきすべての化合物は、質量タグ化試薬の使用により質量タグの組み込みが可能である反応基を有する。更に、以下の標題「ステップ（ｂ）、質量タグ化試薬およびタグ化」参照。興味の惹かれる可能性のある反応基は、
（ａ）システインおよびホモシステイン残基中のようなメルカプト基、
（ｂ）例えば、ｓｐ３−混成である各直接結合炭素を伴うジスルフィド基、および反応性ジスルフィド基、
（ｃ）付加アミノ基（ω−アミノ酸残基）、例えばリシンを含むアミノ酸残基中、およびＮ末端アミノ酸残基中のようなアミノ基、およびアミノ基を含むヌクレオチド残基、
（ｄ）付加カルボキシ基を含むアミノ酸残基中、およびＣ末端アミノ酸残基中のようなカルボキシ基、
（ｅ）エステル、無水物、および酸ハライド基（ａｃｉｄ ｈａｌｉｄｅ ｇｒｏｕｐ）、
（ｆ）メチオニン残基中のようなチオエーテル基、
（ｇ）ヒドロキシを含むアミノ酸残基中のようなヒドロキシ基、および他のヒドロキシ含有単量体単位であって生物有機化学化合物の多量体構造の単位、
（ｈ）アルデヒドおよびケト基、
（ｉ）ホスフェート基、
（ｊ）サルフェート基、
（ｋ）エポキシ基、
（ｌ）上記とは異なる基
である。
【００３６】
本発明の文脈中、「定量すべき化合物」なる用語は、１つの単一非タグ化分子単位、タグ化ステップ後に適用する分離プロトコール中で同時分離する異なる非タグ化分子単位の混合物を包含する。混合物の場合、上記ステップ（ｅ）および（ｆ）は、当該混合物中の１つまたはそれより多い化合物の定量を包含する。
【００３７】
ステップ（ｂ）、質量タグ化試薬およびタグ化
このステップは、ステップ（ａ）で提供された各サンプルを、事前決定し再現性のある方法で、サンプル中の定量すべき化合物の同じタグを導入したサンプル特有質量タグ化試薬と反応させることを含む。当該タグは、質量が異なるサンプルで異なるという意味で特有である。試薬Ｉ／タグＩをサンプルＩに使用し、試薬ＩＩ／タグＩＩをサンプルＩＩに使用し、試薬ＩＩＩ／タグＩＩＩをサンプルＩＩＩに使用するなどである。そのため、当該タグ化反応は、各サンプルで、存在し定量しようとする化合物のタグ化型を形成することを意味する。換言すれば、ｃｏｍｐ１−Ｉ、ｃｏｍｐ１−Ｉ、ｃｏｍｐ２−ＩなどがサンプルＩで形成され、ｃｏｍｐ１−ＩＩ、ｃｏｍｐ２−ＩＩなどがサンプルＩＩで形成されるなどである。
【００３８】
本発明の特定の変形型では、サンプルあたり２またはそれより多い質量タグ化試薬を、異なる種類の反応基を有する化合物の異なるタグへの導入に使用し得る。
【００３９】
ステップ（ａ）−（ｂ）の間に消化ステップが存在し得る。この場合では、サンプル特有タグは、定量すべき化合物の消化産物に導入される。タグ化型は、定量すべき各化合物の少なくとも１つの消化産物として得たタグ化消化産物である。
【００４０】
「事前決定し再現性のある方法で」なる表現は、定量すべき各化合物の事前決定した量のタグ化型、またはそれらの消化産物であって、ステップ（ａ）で提供されるサンプル中の相当化合物の量に関連する当該消化産物が形成されることを意味する。好ましい変形型では、質量タグ化試薬および条件が選択され、相当する非タグ化化合物または適当な非タグ化消化産物に基づき本質的に定量的収量が得られる。定量的収量は、すべて、例えば、収量＞９０％または収量＞９５％のような収量＞８０％である。
【００４１】
好ましい場合では、タグ化試薬は、各タグ化反応が本質的に等価条件下で行い得、および／または本質的に同じタグ化効率となり得るように、選択され得る。タグ間の質量の相違は、（ａ）タグの異なる元素組成、および／または（ｂ）タグの１つまたはそれより多い元素の、異なる同位元素組成に依存する。
【００４２】
（ａ）の場合のタグでは、当該相違は、分離ステップ（ステップ（ｄ））における相違未分離挙動（ｄｉｆｆｅｒｅｎｃｅ ｉｎｓｅｐａｒａｔｉｏｎ ｂｅｈａｖｉｏｕｒ）は、化合物または当該タグを含む消化物のタグ化型にとっては重要ではない。アミノ、エーテル、チオエーテルおよびヒドロキシを含む可能性のある炭化水素基のような基は、この場合のタグとして有用となる可能性があると考えられている。
【００４３】
化合物のタグ化型または当該タグが（ｂ）の場合によるものである消化産物のタグ化型は、分離プロトコールでは本質的に同等の固有の挙動をする。
【００４４】
タグは、定量すべき化合物の分子量と比べ、少ない。殆どのタグは、典型的に、タグ化すべき化合物の最も重い質量の、ほぼ５０％、多くの場合、ほぼ１０％、例えばほぼ５％である質量を有する（すなわち、相当非タグ化化合物または相当消化産物の何れかである）。主として、最適の質量タグは、分子量＜５００ダルトンのような、分子量＜１０００ダルトンを有する。
【００４５】
上記（ａ）および（ｂ）の両方の場合において、導入されるタグの質量の相違により、ステップ（ｅ）で得られた質量スペクトル中の明確な測定可能ピークが生ずる。タグを、化合物またはその消化産物のタグ化型に相当するピークのベースライン分離が可能となるように選択するならば、ステップ（ｆ）での計算が促進され、より安全で信頼性があることとなる。タグ間の最適の質量相違は、種々の要因、例えば、質量分析に依存する。同じ元素組成の２つの異なるタグの質量の相違は、典型的に、６ダルトン以上のような４以上、例えば、７、８、９、１０、１１、１２ダルトンまたは１３ダルトン以上である。この質量相違の上限は、２５ダルトンであり得る。タグが元素組成に関し相違する場合、当該相違は、２００ダルトンまでまたはそれよりも高くなり得る。３つまたはそれより多いタグを用いても、最も大きな質量相違は、上記の限界以内である。
【００４６】
本発明に有用な典型的な同位体は、１Ｈ／２Ｈ、１２Ｃ／１３Ｃ、１４Ｎ／１５Ｎ、１６Ｏ／１７Ｏ／１８Ｏ、３２Ｓ／３４Ｓ、Ｃｌ、ＢｒおよびＩならびにＰの同位体などである。
【００４７】
質量タグ化反応は、好ましくは１つのステップ／反応で生じるが、例えば、質量の相違の原因となる基が導入される間、第一の活性ステップ／反応および第二のステップ／反応を含むステップワイズ反応プロトコールをも含み得る。周囲の状況に依存して、更なる連続ステップ、反応および試薬が必要となり得る。化合物または消化産物のタグ化を含むすべてのステップおよび試薬が、「質量タグ化反応」および「タグ化反応」の用語に含まれる。同様に、「質量タグ化試薬」および「タグ化試薬」なる表現には、化合物または消化産物のタグ化に必要な試薬すべてが含まれる（化合物またはそのような消化産物を除く）。もとの化合物または消化産物は、質量タグ化が可能な適当な反応性基（その基は、質量タグ化反応中に導入され得る）を全く含まない。
【００４８】
可能性ある質量タグ化試薬は、以下の表に概略するような定量すべき化合物中の反応基にマッチする反応基を有する。
【００４９】
化合物中の反応基／質量タグ化試薬
消化産物
【００５０】
メルカプト
α−β−不飽和カルボニル基のような活性化アルケン、およびα−ヨードカルボニル基のようなα−ハロカルボニル基、および反応性ジスルフィドのようなジスルフィド基。カルボニル基またはジスルフィド基は、更に、異なる試薬で質量の異なる基に結合する。α−β−不飽和カルボニル試薬の例は、アルキル基の質量が異なるなどの、別々に重水素化したＮ−アルキルアクリルまたはメタクリルアミド、Ｎ−アルキルアクリルまたはメタクリルアミドの種々の非重水素化型である。
【００５１】
アミノ
活性化酸、例えば、活性化エステル、酸ハライド、酸無水物など。活性化酸の酸部分は、異なる試薬、例えば、別々に重水素化したアルキル基または異なる元素組成のアルキル基で質量の異なる基に更に結合する。
【００５２】
カルボキシ
定量すべき化合物または消化産物中のカルボキシ基は、好ましくは変換され、カルボキシを活性化し、例えばアミノまたはヒドロキシ基を含む質量タグ化試薬と合わされる。タグ化試薬中のアミノまたはヒドロキシ基は、異なる試薬で、異なる同位元素組成および／または異なる元素組成を有するアルキル基に結合し得る。
【００５３】
チオエーテル
チオエーテル官能基をスルフォキシドまたはスルホン基に変換する酸化剤。質量タグ化試薬は、しばしば、酸素の、異なる同位体を含むペルオキシドである。
【００５４】
アルデヒド、ケトン
アルキル部分が、元素および／または同位元素組成中で異なる、アルキル基を含む第一級および第二級アミン。アミンおよびカルボニル基の間で形成される付加体は、例えば、ホウ化水素で還元する。
【００５５】
ホスフェート
元素および／または同位元素組成に関しリガンドが異なる金属キレート。
【００５６】
ヒドロキシフェニル
ハロゲン。
【００５７】
従って、定量する生体分子がポリペプチドまたはタンパク質である有利な実施態様では、当該試薬は、Ｎ末端ペプチドまたは／およびそのリシンに結合し得る。１つの重水素化および１つの非重水素化のタグ対の例は、以下の通りであり得る。
【化１】
ペプチド／タンパク質のペプチドまたは／およびリシンのＮ末端の標識：
重水素化：
2004510983.tif 000002
非重水素化：
【化２】
2004510983.tif 000003
ペプチド／タンパク質中のシステインの標識：
重水素化：
【化３】
2004510983.tif 000004
非重水素化：
【化４】
2004510983.tif 000005
ペプチド／タンパク質中のチロシンの標識：
重水素化：
【化５】
2004510983.tif 000006
非重水素化：
【化６】
2004510983.tif 000007
ＤＮＡ／ＲＮＡの標識
重水素化：
【化７】
2004510983.tif 000008
非重水素化：
【化８】
2004510983.tif 000009
【００５８】
本方法の特に有利な使用は、複数分析であり、すなわち、一連の異なる同位体を構成する同位体タグ化試薬で複数サンプルがタグされることである。例えば、適当試薬の重同位体元素は、２、４、６などの重水素原子を有し得るが、その軽同位体元素（ｌｉｇｈｔ ｉｓｏｔｏｐｅ）にはＨ原子の数に相応じて同じバリエーションがある。これにより、同時に多種のサンプルが比較され得る。標識試薬が単純であるため、その多様化は容易であり安価となる。
【００５９】
例えば、イミノ二酢酸のアクリルアミド誘導体の使用により、７種類のサンプルが一度に容易に適用され得る（０、＋３、＋６、＋１０、＋１２、＋１６、＋２０）。
標識化学の三官能性基本骨格（ｔｒｉ−ｆｕｎｃｔｉｏｎａｌｉｓｅｄ ｓｃａｆｆｏｌｄｓ）の合成
【化９】
2004510983.tif 000010
ＤＭＡまたはＤＥＡの混合物によりウェルとして作用する可能性
図２
【００６０】
また更に組合せは、化学文献から得られ得る。また、Ａｅｂｅｒｓｏｌｄ ｅｔ ａｌ．（ＷＯ００１１２０８）参照。
【００６１】
触媒反応、例えば酵素学的反応、および定量すべき化合物の事前決定した位置に質量タグを導入するための酵素が、質量タグ化反応／試薬の概念中に含まれる。タンパク質中の事前決定した位置は、遊離の内部または遊離の末端のカルボキシ基、遊離の内部または遊離の末端のアミノ基、遊離の内部のヒドロキシ基などであり得る。
【００６２】
事前決定した位置または基へのタグの特異的導入は、定量すべき化合物またはその消化産物が、使用される質量タグ化試薬と反応し得る反応基を有する場合のみ定量され得る。他の化合物としてまたは消化産物として何れもこの基を有しない当該化合物にまで定量を拡張するため、異なる質量タグ化反応／試薬および／または異なる条件の組み合わせが、同じサンプルに適用される。これを行う最も単純な方法は、サンプルの別々のアリコートでそれぞれ事前決定した位置または基に対して一連の操作（ａ）−（ｆ）を行うことであると考えられる。
【００６３】
質量タグ化反応は、再現可能な条件下で、事前決定した量のタグ化産物で行う。これは、典型的に、質量タグ化試薬を消費する反応混合物中の、定量すべき化合物またはタグ化すべきその消化産物の総量と、他の成分量との合計より過剰のタグ化試薬が存在しなければならないことを意味する。典型的に、当該過剰とは、少なくとも５０％である。
【００６４】
定量すべき化合物中にメルカプト基があるとき、定量すべき化合物間でジスルフィド形成を防止するため、好ましくは、過剰の還元剤を添加する。当該還元剤は、低分子量チオール化合物、典型的にはジチオスレイトール（ＤＴＴ）、メルカプトエチルアミン、メルカプトエタノールなど、またはトリブチルホスフィンのようなホスフィンといった非メルカプト含有還元剤であり得る。使用する質量タグ化試薬は、反応混合物中に存在する過剰のすべてのメルカプト基中にある。定量すべき化合物がタンパク質の場合、それらは、シスチン残基型のジスルフィド基を含む。還元剤の添加は、これらの基を、質量タグ化反応中で使用され得るメルカプト基に酸化する更なる効果を有する。
【００６５】
タグ化反応後、過剰のタグ化試薬の除去が有利となり得る。周囲の状況に依存して、これは、ステップ（ｂ）−（ｃ）間の個々の反応混合物において、ステップ（ｃ）−（ｄ）間の混合サンプルにおいて、または分離後、すなわち、ステップ（ｄ）−（ｅ）間の個々の画分において、行い得る。除去は、過剰量を含む溶液を、非反応タグ化試薬と相互作用し得る構造の固相結合型と接触させることにより、行い得る。例えば、当該固相はビーズおよび他の粒子の型であり得る。
【００６６】
タグは、定量すべき化合物と、同じまたは類似のＭＳのフラグメンテーションパターンを提供する構造部分を含まない。これは、タンデムＭＳがステップ（ｅ）で使用する場合に適用される。例えば、当該化合物は、ポリペプチド構造のようなペプチド構造示すならば、タグは、この種の構造を示さない。
【００６７】
ステップ（ｃ）、サンプルの混合
このステップは、混合サンプルを形成するためにステップ（ｂ）で処理されるサンプルの一定量のアリコートを混合することを含む。好ましくは、アリコートは各サンプルで等量である。
【００６８】
ステップ（ｄ）、分離
このステップは、１つまたはそれより多い別々の分離プロトコールを使用することにより、各化合物またはその消化産物の質量タグ化型を別々の画分に同時分離することを含む。
【００６９】
分離ステップ後、ｃｏｍｐ１−Ｉ、ｃｏｍｐ１−ＩＩなどのそれぞれの実質的部分は、画分１の中にあり、ｃｏｍｐ２−Ｉ、ｃｏｍｐ２−ＩＩなどのそれぞれの実質的部分は、画分２の中にある。そのため、分離プロトコール、質量タグ／タグ化試薬（Ｉ、ＩＩなど）は、お互いに、および当該化合物（または適宜消化産物）に適用され、それによって、各画分は、ある化合物のタグ化型または当該化合物の消化産物のタグ化型のより量の多いミックスと、任意の他の化合物またはその任意のタグ化消化産物のより量の少ないタグ化型を含むこととなる。好ましい場合、これは、より多い量とは、３倍よりも多い、任意の他の化合物または任意のそのタグ化消化産物のタグ化型の量を意味する。
【００７０】
定量すべき化合物が唯一の場合、化合物またはその消化産物のタグ化型含有量が混合サンプルの他の構成物に比べて増大している画分を分離ステップが生ずることで十分である。
【００７１】
本発明の特定の好ましい変形型では、２またはそれより多い分離プロトコールがある。十分に高い分離能を獲得するため、少なくとも２つの、これら分離プロトコールが、用いる分離原理に関し異なっていることが有用である。
【００７２】
典型的な分離原理は、化合物と周りの媒体との間の異なる相互作用に基づく分離である。例えば、その相違とは、粒径排除クロマトグラフィー（ｓｉｚｅ ｅｘｃｌｕｓｉｏｎ ｃｈｒｏｍａｔｏｇｒａｐｈｙ）および吸着クロマトグラフィー、ゲル電気泳動、例えばＰＡＧＥ、キャピラリー電気泳動、等電点電気泳動（例えば、ゲル、キャピラリー）などのような、化合物の大きさおよび／または荷電の相違により反映され得る。本発明の特定実施態様では、当該相違は、また、使用する分離媒体などに結合する１つまたはそれより多いリガンドと化合物との親和性の相違に反映し得る。親和性の相違（ｄｉｆｆｅｒｅｎｔｉａｌ ａｆｆｉｎｉｔｙ）は、吸着ステップおよび脱着ステップの何れかまたは両方において利用され得る。
【００７３】
異なる原理の概念は、また、物質輸送が分離の間に生じる方法で定義される。例として、バッチ設計手順（ｂａｔｃｈ ｄｅｓｉｇｎｅｄ ｐｒｏｃｅｄｕｒｅ）のようなタービュランス／アジテーションを供する攪拌によるものまたは他の手段によるもの、クロマトグラフィー手順のような液体流動によるもの、電気泳動のような電場印加によるもの、遠心分離のような求心力によるもの、重力によるもなどがある。
【００７４】
同じ分離原理に基づく分離プロトコールには、分離プロトコールが、従前のプロトコールと本質的に同じ条件下の従前のプロトコールで得られた画分で作動（ｒｕｎ）することを含む。ｐＨの変化、塩濃度、などのような異なるプロトコール間での変形型もまた、含まれる。
【００７５】
吸着法の場合、上記変化は、吸着および／または脱着ステップ中に存在し得る。
【００７６】
分離プロトコールおよびその組合せの適当な選択は、定量すべき化合物の種類および大きさ、場合によっては消化ステップが分離ステップ（ｄ）よりも先行するならば、消化産物の大きさに依存する。一般的ルールとして、より複雑な混合物は、選択したプロトコールの組合せでは、合計するとより高い分離能を必要とする。例えば、消化産物を含む共通構造を有し、相対的に小さく（＞４０００ダルトン）および／または限られた大きさ範囲である、２０−１００より多くの化合物を含む複雑な混合物は、粒径排除のみに依存するという原理による分離プロトコールがあまり意味がないことを示唆する。この種の状態として、例えば、逆相または数種の親和性を介し結合する他のリガンドに基づく少なくとも１つのプロトコールを含むことが好ましい。
【００７７】
より大きな分子の場合、粒径排除に基づくプロトコールが、好ましくは、例えば、等電点（適当ならば）の相違に基づき高分解能技術／プロトコールと組合せて、使用し得る（ゲル電気泳動、粒径排除クロマトグラフィーなど）。
【００７８】
分離ステップ（ｄ）はまた、以下の標題「分画ステップ」で記載の１またはそれよりも多い種々の画分ステップを含み得る。しかし、この位置での分画ステップは、上記のような、少なくとも１つ、好ましくは２つまたはそれより多い分離プロトコールと組合されなければならないことは避けられない。
【００７９】
ステップ（ｅ）−（ｆ）、質量分析および定量
これらのステップは、各画分を質量分析することを含む。各画分の場合、これにより、定量すべき１つの化合物またはその消化産物の質量タグ化型の混合物の質量スペクトルが得られる。当該ミックス／画分中に存在し、同数のタグを含み、同一化合物に由来する質量タグ化型のシグナル（ピーク）の関係から、他の任意の型に対比するそれぞれの型の量を測定し得る。ミックス中の質量タグ化型の相対量は、もとのサンプル中の相当化合物の相対量を提供し得る。この種の算出をし得る方法は、この分野では、従来から行われてきた。Ａｅｂｅｒｓｏｌｄ ｅｔ ａｌ． （ＷＯ００１１２０８）； Ｇｙｇｉ ｅｔ ａｌ． （Ｎａｔｕｒｅ Ｂｉｏｔｅｃｈｎｏｌｏｇｙ １７ （１９９９） ９９４−９９９）； Ｍｕｅｎｃｈｂａｃｈ ｅｔ ａｌ． （Ａｎａｌ． Ｃｈｅｍ． ２０００ （７２） ４０４７−４０５７）およびＯｄａ ｅｔ ａｌ． （Ｐｒｏｃ． Ｎａｔｌ． Ａｃａｄ． Ｓｃｉ． ＵＳＡ ９６ （１９９９） ６５９１−６５９６）と比較せよ。
【００８０】
本文章中の「質量分析」なる用語は、ミックス中の種々のタグ化型から得られる質量分析計のシグナルのセットを言及しており、また、通常の質量スペクトルのピークとしてシグナルを表している。
【００８１】
典型的に、質量タグ化反応は、各化合物またはその消化産物に、１つ、２つ、３つなどの同一タグを導入する。１つ、２つ、３つなどの同一タグを含むタグ化型の場合、本発明で定量するための質量スペクトル中で使用するピークは、使用するタグの質量の相違と、それぞれ同じ、その２倍、その３倍などである質量の相違を有する位置にある。
【００８２】
ステップ（ｄ）で得られる画分中の塩濃度が質量分析ステップには高すぎる場合、分離ステップ（ｄ）と質量分析ステップ（ｅ）との間に１またはそれより多い脱塩ステップを含み得る。別法として、１つまたはそれより多い個々の先行ステップは、各画分の塩濃度が非常に低い条件に適用するための予防であり、それにより、高品質の質量分析ステップ（ｆ）が得られる。
【００８３】
ステップ（ｅ）の直前の分離方法の種類に依存して、ＬＣ−ＭＳ、ＣＥ−ＭＳなどはステップ（ｅ）中で使用し得る。例えば、質量分析計で検出するタグ化フラグメントに相当する化合物を同定するため、質量分析計で検出するタグ化ペプチドフラグメントの配列決定をする必要がある場合、タンデムＭＳ（ＭＳｎ）を使用し得る。これは、例えば、すべての非タグ化フラグメントを取除く分離ステップの前にフラグメンテーションステップが存在する場合に適用する。ステップ（ｄ）で得られる画分はまた、先行の消化ステップで得られるフラグメント（消化産物）を含む場合、個々の化合物の同定は、可能ならばタグ化された、各化合物の消化産物の質量ピーク（ｍ／ｚ）を使用することによりアシストされ得る。
【００８４】
イオン化の場合、質量分析は、各画分での、タグ化型のエレクトロスプレー（ＥＳＩ）、マトリックス支援レーザー脱離イオン化法（ｍａｔｒｉｘ ａｓｓｏｃｉａｔｅｄ ｌａｓｅｒ ｉｎｄｕｃｅｄ ｄｉｓｓｏｃｉａｔｉｏｎ）（ＭＡＬＤＩ）などを使用し得る。質量分析ステップの前の分離原理に依存し、セットアップはＬＣ−ＭＳ、ＣＥ−ＭＳなどの型になり得る。
【００８５】
市販されている質量分析計は、タンパク質の化学的および／または酵素学的消化物の既知消化ペプチドフラグメントパターン、ならびに個々のタンパク質の同定のための質量分析計のフラグメンテーションパターンを使用するコンピュータープログラムを有する。原理では、これは、また、非ペプチド構造の化合物に適用する。ステップ（ｄ）で得られる画分が化合物の混合物の質量タグ化型を含む場合、利用可能な質量分析計で、画分中に存在する個々の化合物のタグ化型の混合物、また同定化合物の混合物の質量スペクトルを測定し得る。ステップ（ｄ）で同時分離する化合物の混合物は、ステップ（ａ）で考察した。
【００８６】
定量の基本は、
（ａ）質量スペクトル中のシグナルは、質量分析計中で提供されるタグ化型の量の関数であること、
（ｂ）次に、この量は、関連するタグに相当するサンプル中の非タグ化化合物の量の関数であること、
である。
【００８７】
ステップ（ｆ）での量を計算するとき、例えば、以下の点を考慮しなけれならない、
（１）ステップ（ａ）で得られるサンプルの相対体積および／または同一サンプル中の定量すべき化合物の相対合計濃度、
（２）ステップ（ｂ）中の異なる反応混合物間での相対希釈、
（３）ステップ（ｂ）中の種々のタグ化試薬間の相対タグ化効率、
（４）ステップ（ｃ）で混合したサンプルの相対体積。
【００８８】
好ましい場合、少なくとも１つの以下の特徴を適用する：
（ｉ）ステップ（ａ）中のすべてのサンプルは、本質的に、定量すべき化合物と同体積および／または同一の合計濃度を有し、
（ｉｉ）ステップにおける異なる反応混合物の希釈およびタグ化効率は本質的に等しく、
（ｉｉｉ）ステップ（ｃ）で混合した反応混合物の体積は、本質的に等しい。
【００８９】
定量すべき化合物がポリペプチド構造を有する場合、上記アイテム（１）は、ステップ（ａ）で提供される各サンプルの合計タンパク質濃度間の関係を考慮することが望ましいことを意味する。好ましい変形型では、アイテム（ｉ）は、ステップ（ａ）で提供された各サンプル中のタンパク質の合計濃度が同じであることを含む。
【００９０】
消化ステップ
定量すべき化合物が、例えば、化学的または酵素学的にフラグメントに切断される消化ステップは存在し得、または存在し得ない。
【００９１】
消化ステップが存在しない場合、定量は、未処理タンパク質に基づく。
【００９２】
生物学的起源の化合物、例えば、ペプチド構造を示す化合物および他の生体高分子の場合、化学的および酵素学的消化は、以下の主な２つのうち何れかである：
（ａ）例えば、化合物がポリペプチド構造を示す場合に使用し得る化学的消化。この種の典型的な消化試薬は、メチオニン残基でペプチド構造を切断するＣＮＢｒである。
（ｂ）典型的に、上記の型の生体高分子に使用し得る酵素学的消化。
【００９３】
典型的に、酵素の例は、トリプシン、ＡｒｇＣ、ＡｓｐＮ、ＧｌｕＣ、ＬｙｓＣ、Ｖ８プロテアーゼ（Ｄ、Ｅ、Ｖ８プロテアーゼ（Ｅ））などである。タンパク質に有用な酵素の殆どは、エンドペプチダーゼである。切断／消化試薬を選択するとき、タグを除かず、化合物のタグ化型を切断し得る試薬を選択することが重要である。例えば、トリプシンは、定量すべき化合物が、シスチンまたはシステイン残基を伴うアルギニンおよび／またはリシン残基を含むタンパク質である場合に使用し得る。タンパク質の内部遊離アミノ基をタグ化に使用するならば、使用する酵素は、切断部位を認識するため、遊離アミノ基を提供するアミノ酸残基を使用しない。
【００９４】
タンパク質の場合、当該消化により、８アミノ酸残基およびそれより上の範囲の長さを有するペプチドフラグメントが生ずる。正確な数は、個々のタンパク質および使用する消化方法に依存する。典型的に、上限は、例えば、２０−３０アミノ酸残基の区間である。単量体単位に関する相当する区間は、他の上記生体高分子に適用され得る。
【００９５】
２つまたはそれより多い切断試薬は、同時にまたは連続的に、何れかで、組合せて使用し得る可能性がある。
【００９６】
種々のプロテアーゼおよびその基質特異性および既知タンパク質とは異なるフラグメントパターンは、データベース型で利用可能である（例えば、ＰｒｏＦｏｕｎｄ ａｎｄ Ｓｗｉｓｓｐｒｏｔ）。
【００９７】
消化ステップが、ステップ（ａ）−（ｂ）の間に位置するならば、その有利点は、消化により、複雑な化合物、例えば上記考察の生体高分子の構造が開く（ｏｐｅｎ ｕｐ）ことである。これにより、ステップ（ｂ）で使用する質量タグ化試薬のよりよい使用を生じるように思われる。例えば、遊離アミノ末端の選択的タグ化し得る条件を使用するＭｕｅｎｃｈｂａｃｈ ｅｔ ａｌ．（Ａｎａｌ． Ｃｈｅｍ． ２０００ （７２） ４０４７−４０５７）と比べよ。
【００９８】
分離ステップ（ｄ）の前に消化ステップを位置付けることにより、ステップ（ｄ）−（ｅ）の間に分離ステップを置くことに比べ、より複雑な混合物を分離する。これは、分解能の改善が得られるため、消化ステップのこれらの位置は、好ましくは、分離ステップで２つまたはそれより多い分離プロトコールを必要とする。２−Ｄゲル電気泳動および分子の大きさの相違を利用する他の技術は、余り価値がないか、全く価値がない。得られる質量スペクトルは、他の画分へ分離された消化フラグメントの情報を欠くことになる。相同性タンパク質と、共翻訳修飾および／または翻訳後修飾との間で識別する機会は、余り可能性がないか、全く可能性がない。
【００９９】
ステップ（ｂ）−（ｃ）の間の消化ステップには、ステップ（ｃ）−（ｄ）の間に比べ、有利な点がある。それは、前者の変法は、その化合物がどのサンプルから得られたかとは関係なく当該化合物の消化の等しい効率を促進するからである。これは、サンプル間の消化可能化合物の相当な濃度相違がある場合に、適用される。
【０１００】
消化ステップがステップ（ｃ）−（ｄ）の間に位置するならば、文献では、その後の追加のステップの挿入が示唆されている（分画し得る先行の誘導体化のものに基づく分画；Ａｅｂｅｒｓｏｌｄ ｅｔ ａｌ．， ＷＯ００１１２０８； およびＧｙｇｉ ｅｔ ａｌ．， Ｎａｔｕｒｅ Ｂｉｏｔｅｃｈｎｏｌｏｇｙ １７（１９９９）９９４−９９９）。
【０１０１】
消化ステップがステップ（ｄ）−（ｅ）の間に位置するならば、分離すべき混合物は、分離ステップでの分離能の改善が比較的簡単に促進される。質量スペクトルは、定量すべき化合物の全ての部分の情報を含む。これは、分離ステップにおける相同な化合物、例えば、上記生体分子の分離能を促進し、得られた質量スペクトルからの、共翻訳修飾および／または翻訳後修飾の研究を促進する。同定は、より単純な質量分析計システムで可能となる。
【０１０２】
分画ステップ
本発明の方法では、細胞の組成物または化合物の群を含むサブフラクション中に出発サンプルを分画する、いわゆる分画ステップをも含み得る。典型的なサブフラクションは、細胞成分分画、タンパク質分画、抗体、特定酵素などである。
【０１０３】
この種の分画ステップは、典型的に、沈殿、遠心分離、クロマトグラフィー、吸着、電気泳動、水性液体相間の分配などのうち少なくとも１つを含んでいる。当該ステップは、リガンドとレセプターとの間のような既知親和性原理、例えば、逆荷電の基の間での静電引力、水素結合、電荷移動、ｐｉ−ｐｉ−相互作用、疎水性相互作用などに基づくものを含み得る。親和性原理は、イオン交換と精製親和性とに分けることができ、その精製親和性にはまた、生体親和性が含まれ、そして抗体と抗原／ハプテン、レクチンと炭水化物、免疫グロブリン結合タンパク質と免疫グロブリンの間などのような複合的相互作用を含む他の親和性を含む。
【０１０４】
本発明の分野の分画ステップの適用は、従来から示唆され、および／または利用されている（Ａｅｂｅｒｓｏｌｄ ｅｔ ａｌ．， ＷＯ００１１２０８； およびＧｙｇｉ ｅｔ ａｌ．， Ｎａｔｕｒｅ Ｂｉｏｔｅｃｈｎｏｌｏｇｙ １７ （１９９９） ９９４−９９）。
【０１０５】
他の誘導体化ステップ
順序（ａ）−（ｆ）の特定位置において、
（１）質量分析ステップ（ｅ）の間のイオン化を促進すること（ステップ（ｅ）よりも前の任意の位置で）
（２）質量分析ステップ（ｅ）の間のフラグメンテーションを促進すること（ステップ（ｅ）よりも前の任意の位置で）
（３）質量タグにより導入された分離相違（ｓｅｐａｒａｔｉｏｎ ｄｉｆｆｅｒｅｎｃｅｓ）を最小化すること（ステップ（ｅ）よりも前の任意の位置で）
（４）例えば、示唆したような分画ステップで使用するための親和性の取っ掛かり（ｈａｎｄｌｅ）を導入すること、
の目的のために誘導体化ステップもまた挿入され得る。
【０１０６】
他の種類の誘導化ステップが予測できる。
【０１０７】
酸性または塩基性基、例えば、−ＣＯＯＨ、−ＳＯ３Ｈ、第一級、第二級または第三級アミノ基、窒素ヘテロ環、エーテル、またはこれらの基の組合せを挿入するならば、イオン化の促進が行われ得る。また、永久性の荷電基、例えば、第四アンモニウム基、ホスホニウム基、キレート化金属イオン、スルホニウム（ｓｕｌｐｈｏｎｉｕｍ）基などにより、この効果が得られ得る。
【０１０８】
フラグメンテーションの促進は、例えば、末端アミノ基の陽性または陰性荷電基の導入により行われ得る。例えば、Ｋｅｏｕｇｈ ｅｔ ａｌ（ＷＯ ００４３９７２）参照。
【０１０９】
分画ステップで使用すべき親和性取っ掛かりの導入は、Ａｅｂｅｒｓｏｌｄ ｅｔ ａｌ．（ＷＯ ００１１２０８）およびＧｙｇｉ ｅｔ ａｌ．（Ｎａｔｕｒｅ Ｂｉｏｔｅｃｈｎｏｌｏｇｙ １７ （１９９９） ９９４−９９９）で概略されるように行われ得る。
【０１１０】
これらの更なる誘導化のそれぞれの場合、同じ試薬がすべてのサンプルに好ましくは使用される。可能性ある重要な変形型は、１つまたはそれより多いこれらの誘導化が、質量タグ化反応が行われるとき生ずるように、質量タグ化試薬を設計したものである。例えば、Ａｅｂｅｒｓｏｌｄ ｅｔ ａｌ．， ＷＯ００１１２０８； およびＧｙｇｉ ｅｔ ａｌ．， Ｎａｔｕｒｅ Ｂｉｏｔｅｃｈｎｏｌｏｇｙ １７ （１９９９） ９９４−９９９（親和性取っ掛かりおよび質量タグが同一試薬により同時に導入される）参照。
【０１１１】
実験部分
同位体タグ化アクリルアミドの合成
Ｎ，Ｎ−ｄ６−ジメチルアクリルアミド（ｄ６−ＤＭＡ）
Ｎ，Ｎ−ｄ６−ジメチルアミン（０．５ｇ、５．７１ｍｍｏｌ）およびトリエチルアミン（１．１６ｇ、１１．４ｍｍｏｌ）を、攪拌しながらジクロロメタン２５ｍｌに溶解した。当該フラスコを水浴中に置き、アクリロイルクロリド（０．５１６ｇ、５．７１ｍｍｏｌ）を滴下した。白色塩は瞬時に形成された。その塩は−２０℃で沈殿し、その後、濾過し、冷ジクロロメタンで洗浄した。溶媒を蒸発させ、粗生成物を、溶出液としてジクロロメタン：アセトン ８５：１５を用いるシリカゲル（６０ｇ、粒子サイズ ０．０４０−０．０６３ｍｍ）のフラッシュクロマトグラフィーで精製した。当該生成物（透明な液体）をＴＬＣで分析し、ＮＭＲした。収率：８８％
【０１１２】
Ｎ，Ｎ−ｄ１０−ジエチルアクリルアミド（ｄ１０−ＤＥＡ）
Ｎ，Ｎ−ｄ１０−ジエチルアクリルアミドの合成は、上記のＮ，Ｎ−ｄ６−ジメチルアクリルアミドと同じ方法で行うが、以下の修飾を行う：Ｎ，Ｎ−ｄ１０−ジエチルアミン（０．５ｇ、６ｍｍｏｌ）およびトリエチルアミン（１．２１ｇ、１２ｍｍｏｌ）、アクリロイルクロリド（０．５４ｇ、６ｍｍｏｌ）を代わりに用いた。精製生成物（オレンジ色の液体）をＴＬＣで分析し、ＮＭＲした。収率：５６％
【０１１３】
単一モデルタンパク質の定量分析
ウシ血清アルブミン（ＢＳＡ）およびβ−ラクトグロブリンをモデルタンパク質として使用した。２つのタンパク質中のシステインを、合成したタグ化試薬および市販されているタグ化試薬でタグ化した（以下参照）。
【０１１４】
タグ化試薬
Ｎ，Ｎ−ジメチルアクリルアミド（ＤＭＡ）、Ａｌｄｒｉｃｈ＊
Ｎ，Ｎ−ｄ６−ジメチルアクリルアミド（ｄ６−ＤＭＡ）＊
Ｎ，Ｎ−ジエチルアクリルアミド（ＤＥＡ）、Ｄａｊａｃ＊
Ｎ，Ｎ−ｄ１０−ジエチルアクリルアミド（ｄ１０−ＤＥＡ）＊
Ｎ−メチルアクリルアミド、Ｄａｊａｃ
Ｎ−エチルアクリルアミド、Ｄａｊａｃ
Ｎ−プロピルアクリルアミド、Ｄａｊａｃ
【０１１５】
ＢＳＡ（１５０μＭ）およびβ−ラクトグロブリン（１５０μＭ）は、還元緩衝液（８Ｍ Ｕｒｅａ、５０ｍＭ ジチオスレイトール（ＤＴＴ）、５０ｍＭ Ｔｒｉｓ−ＨＣｌ ｐＨ８．０）１ｍｌ中、２時間３７℃で独立して還元した。各タグ化試薬を、独立して還元緩衝液（上記）１ｍｌ中に独立して溶解し、最終濃度１５０ｍＭとした。タンパク質溶液（１００μｌ）およびタグ化溶液（１００μｌ）を混合し、１時間３７℃でインキュベーションした。タンパク質に対するタグ化試薬の濃度は、１０００：１であった。
【０１１６】
当該サンプルをＮＡＰ１０カラム（Ａｍｅｒｓｈａｍ Ｐｈａｒｍａｃｉａ Ｂｉｏｔｅｃｈ， Ｕｐｐｓａｌａ， Ｓｗｅｄｅｎ）を用い脱塩した。当該サンプルを、脱イオン水中に溶解した５０ｍＭ 重炭酸アンモニウム１ｍｌで溶出した。
【０１１７】
当該サンプルを、トリプシン（Ｐｒｏｍｅｇａ）、酵素：タンパク質質量比〜１：１４０で、室温で一夜、消化した。異なるタグでタグ化した、ＢＳＡおよびβ−ラクトグロブリン（１ｐｍｏｌ／μｌ ５０％ アセトニトリル（ＡＣＮ）、０．５％ トリフルオロ酢酸（ＴＦＡ））を、種々の割合（表１）で混合した。タグ化試薬の５つの組合せを、ＢＳＡのタグに使用した；（Ｉ）ＤＭＡ（タグ化試薬１）、ｄ６−ＤＭＡ（タグ化試薬２）；（ＩＩ）ＤＥＡ（タグ化試薬１）、ｄ１０−ＤＥＡ（タグ化試薬２）；（ＩＩＩ）Ｎ−メチルアクリルアミド（タグ化試薬１）、Ｎ−エチルアクリルアミド（タグ化試薬２）、（ＩＶ）Ｎ−メチルアクリルアミド（タグ化試薬１）、Ｎ−プロピルアクリルアミド（タグ化試薬２）および（Ｖ）Ｎ−エチルアクリルアミド（タグ化試薬１）、Ｎ−プロピルアクリルアミド（タグ化試薬２）。β−ラクトグロブリンを、タグ化試薬であるＩとＩＩの組合せでタグ化した。
【表１】
2004510983.tif 000011
【０１１８】
表１．タグ化試薬１とタグ化試薬２でタグ化した、種々の体積のＢＳＡおよびβ−ラクトグロブリンを混合し、種々の濃度比の軽および重−タグ化タンパク質を有するサンプルを得た。
【０１１９】
混合後、当該サンプルをＳｐｅｅｄ Ｖａｃで乾燥させ、マトリクス溶液（５０％ ＡＣＮ／０．５％ ＴＦＡ中のα−シアノ−４−ヒドロキシケイ皮酸および内部校正としてＡｎｇｉｏｔｅｎｓｉｎ ＩＩＩ：８９７．５３ｍ／ｚおよびｈＡＣＴＨ（１８−３９）：２４６５．１９ｍ／ｚ）４μｌ中に再溶解し、ＭＡＬＤＩ−ＴＯＦターゲットにスポットした。
【０１２０】
当該サンプルをＭＡＬＤＩ−ＴＯＦで分析し、１００ショットの５つのスペクトルをそれぞれ、スポット／サンプルとして回収した。実際の質量が相違する予測ペプチドは、各スペクトル中に位置し、ピークのエリアを算出した。
【０１２１】
モデルタンパク質のミックスの定量分析
ホスホリラーゼｂ（６７μｇ／バイアル）、アルブミン（８３μｇ／バイアル）、卵白アルブミン（１４７μｇ／バイアル）、炭酸脱水酵素（８３μｇ／バイアル）、トリプシン阻害剤（８０μｇ／バイアル）、α−ラクトアルブミン（１１６μｇ／バイアル）をそれぞれ含む、等電点電気泳動校正タンパク質ミックス（Ａｍｅｒｓｈａｍ Ｐｈａｒｍａｃｉａ Ｂｉｏｔｅｃｈ）２バイアルを、定量分析に使用した。変性タンパク質のジスルフィド結合は、各バイアルに還元緩衝液（上記）１５０μｌを加え、２時間、３７℃インキュベーションして還元した。バイアル中のタンパク質のシステイン基（ｃｙｓｔｅｉｎｙｌ ｇｒｏｕｐ）、１および２を、数千倍のモル過剰のＤＭＡおよびｄ６−ＤＭＡでそれぞれ、１時間３７℃で、独立してタグ化した。ＤＭＡ−およびｄ６−ＤＭＡ−タグ化タンパク質を以下のように組合せた；２５：２５、３５：１５、４０：１０（ＤＭＡ−タグ化タンパク質のμｌ：ｄ６−ＤＭＡタグ化タンパク質のμｌのように示す）。
【０１２２】
当該サンプルは、製造者の指示に従い２Ｄ−電気泳動により分離した。完全サンプル（１９０μｇタンパク質／サンプル）を、Ｉｍｍｏｂｉｌｉｎｅ ＤｒｙＳｔｒｉｐｓ（１３ｃｍ、ｐＨ３−１０、ＮＬ（非直線））のカップローディングに適用し、ＭｕｌｔｉＰｈｏｒ ＩＩ（Ａｍｅｒｓｈａｍ Ｐｈａｒｍａｃｉａ Ｂｉｏｔｅｃｈ）を等電点電気泳動に使用した。二次元電気泳動は、１２％ＳＤＳ−ＰＡＧＥゲルを用い行った。
【０１２３】
２Ｄ−電気泳動による分離後、ゲルを４０％エタノール（ＥｔＯＨ）、１０％酢酸（ＨＡｃ）中で、１時間固定化し、４０％ＥｔＯＨ、１０％ＨＡｃ中の０．１％クマジーブリリアントブルーで３０分間染色し、２０％ＥｔＯＨ、５％ＨＡｃ中で一夜脱色した。
【０１２４】
各タンパク質の最も染まりの強いイソ型のうち１つまたは２つを、ストローを用いゲルから取り出した。当該ゲルプラグを、５０％メタノール／５０ｍＭ重炭酸アンモニウム １００μｌ中で洗浄し、３回繰返し、その後、Ｓｐｅｅｄ Ｖａｃで蒸発させた。当該タンパク質を、トリプシン（０．０２μｇ／μｌ ５０ｍＭ ５０％ ＡＣＮ、０．５％ ＴＦＡ）で、室温で一夜消化した。当該ペプチドは、５０％ＡＣＮ、０．５％ＴＦＡ １００μｌを添加し、１時間室温でインキュベーションし、それを２回繰り返すことにより、ゲルプラグから抽出した。プールしたペプチド抽出物をＳｐｅｅｄ Ｖａｃで乾燥させ、５０％ＡＣＮ、０．５％ＴＦＡ ４μｌ中にそれぞれ再溶解した。１μｌのマトリクス溶液（上記）を同体積のサンプル溶液と混合し、当該混合物０．５μｌをＭＡＬＤＩターゲットにデポジットし、ＭＡＬＤＩ−ＴＯＦで分析した。
【０１２５】
Ｅ． ｃｏｌｉのタンパク質の定量分析
Ｅｓｃｈｅｒｉｃｈｉａ ｃｏｌｉの低速上清（ｌｏｗ ｓｐｅｅｄ ｓｕｐｅｒｎａｔａｎｔ）の調製
Ｅｓｃｈｅｒｉｃｈｉａ ｃｏｌｉ （Ｅ． ｃｏｌｉ）、４０μｇ（Ｂ株、ＡＴＣＣ１１３０３、Ｓｉｇｍａ）を、８Ｍ尿素、４％ＣＨＡＰＳ、２％３−１０ｐｈａｒｍａｌｙｔ（Ａｍｅｒｓｈａｍ Ｐｈａｒｍａｃｉａ Ｂｉｏｔｅｃｈ）および６５ｍＭ ＤＴＴを含む２０ｍｌ緩衝液中に入れた。当該細胞を、氷上で冷却しつつ２０秒間、超音波（Ｓｕｌｔｒａｓｏｎｉｃｓ Ｗ ３８５）をあてる（７回繰り返す）ことにより、破壊した。当該ライゼートを６０００×ｇで４０分間８℃で遠心分離した。低速上清（ＬＳＳ）を、相対的定量に使用するまで、−２０℃で保存した。
【０１２６】
相対的定量
Ｅ． ｃｏｌｉのＬＳＳを融解し、還元緩衝液（上記）中に希釈し、最終濃度５μｇ／μｌとした。希釈ＬＳＳ３００μｌをそれぞれ含む２つのバイアルを２時間３７℃でインキュベーションし、ジスルフィド結合を還元した。体積１５０μｌのＤＭＡ（３８μｇ／μｌ還元緩衝液）およびｄ６ＤＭＡ（３８μｇ／μｌ還元緩衝液）をバイアル１およびバイアル２にそれぞれ加えた。当該バイアルを１時間３７℃でインキュベーションし、タンパク質のシステインをタグ化した。バイアル１およびバイアル２のタンパク質を種々の割合、１００：１００、１４０：６０、１７０：３０（ＤＭＡタグ化タンパク質のμｌ：ｄ６−ＤＭＡタグ化タンパク質のμｌ）で混合した。
【０１２７】
ＩＰＧ再水和緩衝液（８Ｍ 尿素／２％ ＣＨＡＰＳ／２％ ＩＰＧ緩衝液 ４−７／１０ｍＭ ＤＴＴ）を、種々の濃度比の３つのサンプルに加え、最終体積２６０μｌとした。ＩＰＧストリップ（１３ｃｍ、ｐＨ４−７ ＮＬ）の再水和および２Ｄ−電気泳動を、製造者指示書に従い、行った。当該ゲルを、上記のクマジーブリリアントブルーで染色した。１０のタンパク質のスポットを、上記のように、各ゲルから取出し、脱色し、消化し、抽出し、ＭＡＬＤＩ−ＴＯＦにより分析した。
【０１２８】
結果
ＢＳＡとβ−ラクトグロブリンの相対的定量
上記すべてのタグ化試薬は、ＢＳＡおよびβ−ラクトグロブリンのシステインを効率的にタグ化する。タグ化試薬のすべての組合せとして、１または２対の質量タグ化ペプチドは、質量スペクトル中のベースライン分離で同定した。同定ピークの対のうちの相対領域を、軽−および重−タグ化ペプチドの既知濃度の比と比較した。
【０１２９】
表１は、ＤＭＡ／ｄ６−ＤＭＡおよびＤＥＡ／ｄ１０−ＤＥＡでタグ化されたＢＳＡで観察され予想される比を示す。
【表２】
2004510983.tif 000012
表１．ＤＭＡ、ｄ６−ＤＭＡおよびＤＥＡ、ｄ１０−ＤＥＡでタグ化されたＢＳＡ
【０１３０】
表２は、ＤＭＡ／ｄ６−ＤＭＡおよびＤＥＡ／ｄ１０−ＤＥＡでタグ化されたβ−ラクトグロブリンで観察され予想される比を示す。
【表３】
2004510983.tif 000013
表２．ＤＭＡ、ｄ６−ＤＭＡおよびＤＥＡ、ｄ１０−ＤＥＡでタグ化されたβ−ラクトグロブリン（ハイフンでマークしたエリアは、質量スペクトルのシグナルが非常に弱いため、算出できないエリアである。）
【０１３１】
表３は、上記の異なる組み合わせの、メチルアクリルアミド、エチルアクリルアミドおよびプロピルアクリルアミドでタグ化したＢＳＡで観察され予想される比を示す。
【表４】
2004510983.tif 000014
表３．メチルアクリルアミド（ＭＡ）、エチルアクリルアミド（ＥＡ）およびプロピルアクリルアミド（ＰＡ）の組合せでタグ化されたＢＳＡ
【０１３２】
モデルタンパク質のミックスの相対的定量
６つのタンパク質のミックスをＤＭＡおよびｄ６−ＤＭＡでタグ化し、２Ｄ−電気泳動で分離し、ＭＡＬＤＩ−ＴＯＦで分析した。ペプチドがＤＭＡ／ｄ６ＤＭＡでタグ化されるならば、２から３の対がウシ血清アルブミン、卵白アルブミン、トリプシン阻害剤およびα−ラクトアルブミン、それぞれの質量スペクトルで検出された。
【０１３３】
表４は、当該ミックス中の６つのタンパク質の領域と濃度の比を示す。
【表５】
2004510983.tif 000015
【０１３４】
表４．ＤＭＡおよびｄ６−ＤＭＡでタグ化し、２Ｄ−電気泳動で分離し、ＭＡＬＤＩ−ＴＯＦで分析した６つのタンパク質の濃度比と領域比（ハイフンでマークしたエリアは、質量スペクトルのシグナルが非常に弱いため、算出できないエリアである。）
【０１３５】
Ｅ． ｃｏｌｉのタンパク質の相対的定量
ＤＭＡおよびｄ６−ＤＭＡでタグ化したＥ． ｃｏｌｉのタンパク質は、３種の濃度比で合わせた。当該サンプルは、独立して２Ｄ−電気泳動で分離した。同じ１０スポットを各ゲルから取り出し、トリプシンで消化後、ＭＡＬＤＩ−ＴＯＦで分析した。当該タンパク質をＰｒｏＦｏｕｎｄソフトウェアを用い同定し、理論タンパク質マップをＳｗｉｓｓｐｒｏｔから得た。
【０１３６】
各タンパク質のタグ化ペプチドの領域の割合を算出し、相対的濃度と比較した（表５）。調査した９種のタンパク質のうちの５種は、システインが含まれていた（９種のタンパク質の総数から、２つのスポットが同じタンパク質を含むこととなる）。非タグ化システインは検出されず、これは、効率的なタグ化を示している。
【表６】
2004510983.tif 000016
表５．左から２番目のカラムは、調査した１０種のタンパク質のタグ化タンパク質の理論ｍ／ｚを示している。右側の２つのカラムは、各タンパク質の予測される割合と観察される割合を示している。（ハイフンでマークしたエリアは、質量スペクトルのシグナルがないかまたは非常に弱いため、算出できないエリアである。）
【国際公開パンフレット】
2004510983.tif 000017
2004510983.tif 000018
2004510983.tif 000019
2004510983.tif 000020
2004510983.tif 000021
2004510983.tif 000022
2004510983.tif 000023
2004510983.tif 000024
2004510983.tif 000025
2004510983.tif 000026
2004510983.tif 000027
2004510983.tif 000028
2004510983.tif 000029
2004510983.tif 000030
2004510983.tif 000031
2004510983.tif 000032
2004510983.tif 000033
2004510983.tif 000034
2004510983.tif 000035
2004510983.tif 000036
2004510983.tif 000037
2004510983.tif 000038
2004510983.tif 000039
2004510983.tif 000040
2004510983.tif 000041
2004510983.tif 000042
2004510983.tif 000043
2004510983.tif 000044
2004510983.tif 000045
2004510983.tif 000046
2004510983.tif 000047
2004510983.tif 000048
2004510983.tif 000049
2004510983.tif 000050
2004510983.tif 000051
2004510983.tif 000052
2004510983.tif 000053
2004510983.tif 000054
2004510983.tif 000055
2004510983.tif 000056
2004510983.tif 000057
2004510983.tif 000058
2004510983.tif 000059
2004510983.tif 000060
【国際公開パンフレット（コレクトバージョン）】
2004510983.tif 000061
【手続補正書】
【提出日】平成15年3月5日(2003.3.5)
【手続補正１】
【補正対象書類名】明細書
【補正対象項目名】特許請求の範囲
【補正方法】変更
【補正の内容】
【特許請求の範囲】
【請求項１】
サンプル特有タグ化試薬を用いることにより、２またはそれより多いサンプル中の１またはそれより多い生体分子の量を定量する方法であって、ステップ（ａ）−（ｆ）
（ａ）少なくとも２つのサンプルを提供すること、
（ｂ）各サンプル中に存在する生体分子を、サンプル特有質量タグ化試薬と反応させ、そのサンプル特有質量タグ化型を提供すること、
（ｃ）各サンプル中に存在するタグ化型をあわせて、１個のサンプルを提供すること、
（ｄ）疎水性の相違、荷電の相違、等電点の相違（ｐＩ）、および分子サイズの相違からなる群から選択される原理に基づく分離プロトコールにより、得られたサンプルから、個々の生体分子の質量タグ化型のミックスを、別々の画分中に同時分離すること、
（ｅ）各画分で当該ミックスを質量分析し、質量スペクトルを得ること、
（ｆ）ステップ（ｅ）で得られた各質量スペクトル中のシグナルから、少なくとも１つのサンプルのスペクトルに相当する生体分子の量を、少なくとも１つの残りのサンプル中の同じ生体分子の量と対比して決定すること、
を含むことを特徴とする当該方法。
【請求項２】
当該生体分子が、タンパク質またはポリペプチドであり、当該試薬が、その第一級アミン、システイン残基またはチロシン残基に結合し得る、請求項１の方法。
【請求項３】
当該生体分子が核酸であり、当該試薬が、そのシトシンまたはアデニン残基に結合し得る、請求項１の方法。
【請求項４】
ステップ（ａ）−（ｅ）の何れか１つの間に挿入される消化ステップも含み、但し、消化ステップがステップ（ｃ）と（ｄ）との間にある場合には、少なくとも２つの別々の分離プロトコールがステップ（ｄ）で使用される、請求項１−３の何れか１つの方法。
【請求項５】
当該消化ステップが、ステップ（ｃ）の前に位置する、請求項４の方法。
【請求項６】
消化ステップが、好ましくは、ステップ（ｄ）中に２つまたはそれより多い別個の分離プロトコールを伴って、ステップ（ｄ）−（ｅ）の間に位置する、請求項４の方法。
【請求項７】
消化ステップが、好ましくは、ステップ（ｄ）中に２つまたはそれより多い別個の分離プロトコールを伴って、ステップ（ａ）−（ｂ）、（ｂ）−（ｃ）または（ｃ）−（ｄ）の間のように、ステップ（ａ）−（ｄ）のどこかに位置する、請求項４の方法。
【請求項８】
定量すべき生体分子の数（ｎ）が、２またはそれより多い、請求項１−７の何れかの方法。
【請求項９】
ステップ（ａ）で提供されるサンプルの数（ｍ）が、３またはそれより多い、請求項１−８の何れかの方法。
【請求項１０】
生体分子を、酵素学的に消化する、請求項１−９の何れかの方法。
【請求項１１】
２つまたはそれより多い分離プロトコールをステップ（ｄ）で使用する方法であって、少なくとも２つの当該プロトコールのそれぞれが異なり、ステップ（ｃ）から得られるタグ化型の混合物を画分中に分離し得、ここで、定量すべき生体分子（タグ化型）のうちの主な１つまたはその消化産物（タグ化型）が、画分間で異なる、請求項１−１０の何れかの方法。
【請求項１２】
当該サンプル特有質量タグが、元素の組成に関し、異なる、請求項１−１１の何れかの方法。
【請求項１３】
当該サンプル特有質量タグが、好ましくは、元素の組成が同じであって、少なくとも１つの元素の同位元素組成に関して異なる、請求項１−１１の何れかの方法。
【請求項１４】
当該サンプルのうちの１つが、参照または対照サンプルである、請求項１−１３の何れかの方法。
【請求項１５】
ステップ（ｄ）が、定量すべき生体分子またはその消化産物の物質輸送が電気泳動、好ましくは２Ｄ電気泳動のような電場印加よる、分離プロトコールを含む、請求項１−１４の何れかの方法。
【請求項１６】
ステップ（ｄ）が、定量すべき生体分子またはその消化産物の物質輸送がクロマトグラフィーのような液体流動による、分離プロトコールを含む、請求項１−１４の何れかの方法。
【国際調査報告】
2004510983.tif 000062
2004510983.tif 000063
2004510983.tif 000064